(57)【特許請求の範囲】
【請求項１】
ガス状燃料を導入するためのガス導入路と、前記ガス導入路から導入された前記ガス状燃料を噴出させるノズル孔を有するノズル部と、前記ノズル孔からの前記ガス状燃料の供給を停止させる停止手段と、一次空気を導入する一次空気導入手段と、前記ガス状燃料および前記一次空気が混合される混合室とを含み、前記ノズル部は、前記混合室内に前記ガス状燃料が噴出されるように前記混合室に接続され、ノズル部本体と、前記ガス導入路と接続され、前記ノズル部本体内に前記ガス状燃料を導入する燃料導入路とを含み、前記停止手段は、前記ノズル孔への前記ガス状燃料の供給を遮断する弁体を含み、前記一次空気導入手段は、前記混合室と連通され、前記一次空気を導入するための開口部を有するレギュレータを含み、前記レギュレータは、回転運動することで前記開口部を段階的に閉鎖し、前記一次空気の混合室への導入量を段階的に調整する調整手段を含み、前記レギュレータの前記開口部が前記調整手段によって全閉されたときに、その全閉動作に連動して、ほぼ同時に、前記弁体が前記ノズル孔への前記ガス状燃料の供給を遮断するバーナであって、
前記弁体は、前記ノズル部本体の軸線方向に直線運動可能に配置される軸状の弁棒と、前記弁棒の軸方向の一端側に配設され、前記ノズル孔に連通される通路を閉塞する閉塞部と、前記弁棒の軸方向の他方端側に配設され、前記調整手段に連結される連結部とを含み、
前記ノズル部と前記弁棒とは、ねじ面を対偶素として互いに接触するねじ対偶の構造を有し、前記調整手段の回転動作に連動して、前記弁棒には前記ノズル部本体の軸線方向に直線運動が付与され、前記閉塞部が前記ノズル孔を閉塞可能にすることを特徴とする、バーナ。
【請求項２】
前記ねじ面は、多条ねじのねじ面を有することを特徴とする、請求項１に記載のバーナ。
【請求項３】
前記レギュレータは、前記混合室の一方端部に配置され、前記混合室の上流側に複数の開口部を構成する羽根部材を含み、
前記調整手段は、前記羽根部材に重ねられ、前記開口部の一部を段階的に閉鎖可能にする回転自在の第１の閉鎖部材と、前記第１の閉鎖部材に重ねられ、前記開口部をさらに段階的に閉鎖可能にする回転自在の第２の閉鎖部材と、前記第２の閉鎖部材に重ねられ、前記開口部を全閉可能にする回転自在の第３の閉鎖部材とを含み、前記第３の閉鎖部材の回転動作に連動して、前記弁棒が前記ノズル孔を閉塞し、前記ノズル孔への前記ガス状燃料の供給が遮断されることを特徴とする、請求項１または請求項２に記載のバーナ。
【請求項４】
前記混合室の一方端部の周縁で且つその周方向に所定の間隔を隔てて配設され、前記第１の閉鎖部材の回転変位量を所定の範囲に規制する規制部と、前記第２の閉鎖部材の一部に配設され、前記第２の閉鎖部材の回転に伴い、前記第１の閉鎖部材の一部を回転方向から押圧して、前記第１の閉鎖部材を所定の範囲で回転可能にする押圧部と、前記第３の閉鎖部材の一部に配設され、前記第３の閉鎖部材の回転に伴い、前記第１の閉鎖部材および前記第２の閉鎖部材の一部を回転方向から押圧して、前記第１の閉鎖部材および前記第２の閉鎖部材を所定の範囲で回転可能にする他の押圧部とをさらに含み、前記羽根部材の中心と、前記第１の閉鎖部材、前記第２の閉鎖部材および前記第３の閉鎖部材の回転中心とは、同一軸線上に配置される、請求項３に記載のバーナ。
【請求項５】
前記弁棒の連結部と前記第３の閉鎖部材とは、一体的に形成されることを特徴とする、請求項１〜請求項４のいずれかに記載のバーナ。
【請求項６】
前記ノズル部の下流側に配設され、前記ガス状燃料および前記一次空気の混合気が噴出される噴出口を有する第１のインジェクタ部と、前記混合室の下流側に配設され、二次空気を導入する二次空気導入手段と、前記第１のインジェクタ部の下流側に配設され、前記第１のインジェクタ部から噴出される前記混合気にさらに前記二次空気を供給して噴出させる噴出口を有する第２のインジェクタ部と、前記二次空気導入手段の下流側に配設され、三次空気を導入する三次空気導入手段と、前記第２のインジェクタ部の下流側に配設され、前記第２のインジェクタ部から噴出される前記混合気にさらに前記三次空気を供給して噴出させる噴出口を有する第３のインジェクタ部と、前記第３のインジェクタ部を覆うようにして、前記第３のインジェクタ部の下流側に配設され、その下流端側に火炎を噴射する炎口部を有する燃焼室とをさらに含む、請求項１〜請求項５のいずれかに記載のバーナ。
【請求項７】
前記第１のインジェクタ部の上流側に配設され、前記ガス状燃料および前記一次空気の混合気に乱流を生じさせる乱流付与手段をさらに含む、請求項６に記載のバーナ。
【請求項８】
前記第１のインジェクタ部の上流側に配設され、前記ガス状燃料および前記一次空気の混合気を強制的に下流側に送風する送風機等の送風手段をさらに含む、請求項６または請求項７に記載のバーナ。
【請求項９】
前記送風手段は、前記混合室および前記第１のインジェクタ部間に配設される、請求項８に記載のバーナ。
【請求項１０】
前記送風手段は、前記混合室の上流側に配設される請求項９に記載のバーナ。
【発明の詳細な説明】
【０００１】
【発明の属する技術分野】
本願発明は、バーナに関し、たとえば冷凍食品表面の解凍および表面の焦げ目付け、焼き豆腐や焼き魚等の表面の焦げ目付け、炭の火付け、金属の焼き入れ、あるいは、生草を焼いたり、土を焼いて殺菌し土壌改良に利用したり、種々の物の局部ないし全体を加熱するために用いられ、特に、低圧ガス用の小型のハンドバーナ等、燃焼器および調理用加熱機などに用いられる、バーナに関する。
【０００２】
【従来の技術】
本願発明の背景となる従来の低圧ガス用のハンドバーナでは、低圧であるがゆえに熱流束の高いシャープな炎を出すことは困難なものであった。
そこで、本願発明者は、ハンドバーナ本体に送風機を配設することにより、ハンドバーナ本体内に強制的に一次空気を取込み、さらに、その風速を利用して二次空気および三次空気を取込むことによって、燃焼に必用な空気を多量に燃料ガスに供給する構造のハンドバーナを発明した。そのため、熱流束の高い、すなわち、高カロリーの火炎を出すことができるハンドバーナが得られる。
【０００３】
【発明が解決しようとする課題】
しかしながら、送風機を設けた構造のハンドバーナでは、送風機により一次空気が強制的にハンドバーナ本体内に吸引されるため、火炎を消すときに、混合気の燃焼速度が炎口からの火炎の流出速度よりも速くなり、所謂、フラッシュバック現象（逆火あるいはバックファイヤとも言う。）を起こす恐れが多分にあった。そのため、場合によっては、ハンドバーナの手元側で爆発、爆音が起こり、安全性の面で不具合の生じるものであった。
また、送風機による一次空気の取込み量が多過ぎると、混合気の燃焼速度が炎口からの火炎の流出速度よりも遅くなり、火炎が炎口から浮き上がる、所謂、リフティング現象、あるいは、ブローオフ現象、所謂、吹消え現象を起こす恐れがあり、これまた不具合の生じるものであった。
【０００４】
それゆえに、本願発明の主たる目的は、フラッシュバックおよびリフティングを防止し、且つ、熱流束の大きい高カロリーの炎を出すことができる、バーナを提供することである。
【０００５】
【課題を解決するための手段】
請求項１にかかる本願発明のバーナは、ガス状燃料を導入するためのガス導入路と、ガス導入路から導入されたガス状燃料を噴出させるノズル孔を有するノズル部と、ノズル孔からのガス状燃料の供給を停止させる停止手段と、一次空気を導入する一次空気導入手段と、ガス状燃料および一次空気が混合される混合室とを含み、ノズル部は、混合室内にガス状燃料が噴出されるように混合室に接続され、ノズル部本体と、ガス導入路と接続され、ノズル部本体内にガス状燃料を導入する燃料導入路とを含み、停止手段は、ノズル孔へのガス状燃料の供給を遮断する弁体を含み、一次空気導入手段は、混合室と連通され、一次空気を導入するための開口部を有するレギュレータを含み、レギュレータは、回転運動することで開口部を段階的に閉鎖し、一次空気の混合室への導入量を段階的に調整する調整手段を含み、レギュレータの開口部が調整手段によって全閉されたときに、その全閉動作に連動して、ほぼ同時に、弁体が前記ノズル孔へのガス状燃料の供給を遮断するバーナであって、弁体は、ノズル部本体の軸線方向に直線運動可能に配置される軸状の弁棒と、弁棒の軸方向の一端側に配設され、ノズル孔に連通される通路を閉塞する閉塞部と、弁棒の軸方向の他方端側に配設され、調整手段に連結される連結部とを含み、ノズル部と弁棒とは、ねじ面を対偶素として互いに接触するねじ対偶の構造を有し、調整手段の回転動作に連動して、弁棒にはノズル部本体の軸線方向に直線運動が付与され、閉塞部がノズル孔を閉塞可能にすることを特徴とする、バーナである。
請求項２にかかる本願発明のバーナは、請求項１にかかる発明のバーナに従属するもので、ねじ面は、多条ねじのねじ面を有することを特徴とする、バーナである。
請求項３にかかる本願発明のバーナは、請求項１または請求項２にかかる発明のバーナに従属するもので、レギュレータは、混合室の一方端部に配置され、混合室の上流側に複数の開口部を構成する羽根部材を含み、調整手段は、羽根部材に重ねられ、開口部の一部を段階的に閉鎖可能にする回転自在の第１の閉鎖部材と、第１の閉鎖部材に重ねられ、開口部をさらに段階的に閉鎖可能にする回転自在の第２の閉鎖部材と、第２の閉鎖部材に重ねられ、開口部を全閉可能にする回転自在の第３の閉鎖部材とを含み、第３の閉鎖部材の回転動作に連動して、弁棒がノズル孔を閉塞し、ノズル孔へのガス状燃料の供給が遮断されることを特徴とする、バーナである。
請求項４にかかる本願発明のバーナは、請求項３にかかる発明のバーナに従属するもので、混合室の一方端部の周縁で且つその周方向に所定の間隔を隔てて配設され、第１の閉鎖部材の回転変位量を所定の範囲に規制する規制部と、第２の閉鎖部材の一部に配設され、第２の閉鎖部材の回転に伴い、第１の閉鎖部材の一部を回転方向から押圧して、第１の閉鎖部材を所定の範囲で回転可能にする押圧部と、第３の閉鎖部材の一部に配設され、第３の閉鎖部材の回転に伴い、第１の閉鎖部材および第２の閉鎖部材の一部を回転方向から押圧して、第１の閉鎖部材および第２の閉鎖部材を所定の範囲で回転可能にする他の押圧部とをさらに含み、羽根部材の中心と、第１の閉鎖部材、第２の閉鎖部材および第３の閉鎖部材の回転中心とは、同一軸線上に配置される、バーナである。
請求項５にかかる本願発明のバーナは、請求項３または請求項４にかかる発明のバーナに従属するもので、弁棒の連結部と第３の閉鎖部材とは、一体的に形成されることを特徴とする、バーナである。
請求項６にかかる本願発明のバーナは、請求項１〜請求項５のいずれかにかかる発明のバーナに従属するもので、ノズル部の下流側に配設され、ガス状燃料および一次空気の混合気が噴出される噴出口を有する第１のインジェクタ部と、混合室の下流側に配設され、二次空気を導入する二次空気導入手段と、第１のインジェクタ部の下流側に配設され、第１のインジェクタ部から噴出される混合気にさらに二次空気を供給して噴出させる噴出口を有する第２のインジェクタ部と、二次空気導入手段の下流側に配設され、三次空気を導入する三次空気導入手段と、第２のインジェクタ部の下流側に配設され、第２のインジェクタ部から噴出される混合気にさらに三次空気を供給して噴出させる噴出口を有する第３のインジェクタ部と、第３のインジェクタ部を覆うようにして、第３のインジェクタ部の下流側に配設され、その下流端側に火炎を噴射する炎口部を有する燃焼室とをさらに含む、バーナである。
請求項７にかかる本願発明のバーナは、請求項６にかかる発明のバーナに従属するもので、第１のインジェクタ部の上流側に配設され、ガス状燃料および一次空気の混合気に乱流を生じさせる乱流付与手段をさらに含む、バーナである。
請求項８にかかる本願発明のバーナは、請求項６または請求項７にかかる発明のバーナに従属するもので、第１のインジェクタ部の上流側に配設され、ガス状燃料および一次空気の混合気を強制的に下流側に送風する送風機等の送風手段をさらに含む、バーナである。
請求項９にかかる本願発明のバーナは、請求項８にかかる発明のバーナに従属するもので、送風手段は、混合室および第１のインジェクタ部間に配設される、バーナである。
請求項１０にかかる本願発明のバーナは、請求項９にかかる発明のバーナに従属するもので、送風手段は、混合室の上流側に配設されるバーナである。
【０００６】
【作用】
請求項１にかかる本願発明では、ガス導入路を通って、ノズル部のノズル孔からガス状燃料が噴射される。一次空気導入手段により、外部から一次空気が混合室内に導入される。この場合、ガス状燃料がノズル部から噴射されるときの運動エネルギによって、一次空気導入手段から一次空気が吸引され、混合室へ導入される。ガス状燃料と一次空気とは、混合室内で混合され、混合気となる。
請求項１にかかる本願発明では、特に、一次空気の導入が停止されるのと、ほぼ同時に、停止手段によって、ノズル孔からのガス状燃料の供給が停止される。そのため、火炎を消すときのフラッシュバックが防止される。すなわち、これは、ガス状燃料の導入量の調節と一次空気の導入量の調節とが、ほぼ同時に調節されることに起因する。
請求項１にかかる本願発明では、調整手段により、レギュレータの開口部が段階的に閉鎖されるため、混合室への一次空気の導入量が段階的に調整される。さらに、調整手段により、開口部が全閉されたとき、それに連動して、弁体がノズル孔へのガス状燃料の供給を遮断する。
請求項１にかかる本願発明では、ガス状燃料が燃料導入路からノズル部本体内に導入され、ノズル孔から噴射される。また、調整手段の回転運動により、開口部が段階的に閉鎖される。さらに、調整手段の回転運動に連動して、弁体が直線運動し、それにより、ノズル孔へのガス状燃料の供給が遮断される。
請求項１にかかる本願発明では、弁棒が連結部により調整手段に連結され、且つ、ノズル部と弁棒とがねじ対偶の関係にある。そのため、調整手段を回転させれば、弁棒がノズル部本体の軸線方向に回転しながら直線運動を行なうため、閉塞部によってノズル孔が閉塞される。
請求項２にかかる本願発明では、ねじ面が多条ねじのねじ面に形成されるため、調整手段の回転量に比して、弁棒の直線運動の変位量、つまり、弁棒の軸方向に動く距離が大きくなる。したがって、調整手段の回転量が比較的小さくても、所望する弁棒の軸方向への変位量を確保することが可能となる。
請求項３にかかる本願発明では、羽根部材により、混合室の上流側に複数の開口部が構成される。第１の閉鎖部材は、開口部の一部を段階的に閉鎖し、第２の閉鎖部材は、開口部の一部をさらに閉鎖し、第３の閉鎖部材は、開口部の一部をさらに閉鎖して全閉するように、それぞれ、回転する。また、第３の閉鎖部材の全閉動作に連動して、弁体の閉塞部がノズル孔を閉塞し、ノズル孔へのガス状燃料の供給が遮断される。
請求項４にかかる本願発明では、第２の閉鎖部材の規制部により、第１の閉鎖部材の回転変位量が所定の範囲に規制される。第２の閉鎖部材の回転により、押圧部が回転方向から第１の閉鎖部材を押圧し、第１の閉鎖部材を規制部の規制範囲まで回転させる。さらに、第３の閉鎖部材の他の押圧部は、第１の閉鎖部材および第２の閉鎖部材を回転方向から押圧し、第１の閉鎖部材および第２の閉鎖部材を規制部の規制範囲まで回転させる。それによって、一次空気が導入される開口部は、全閉される。
請求項５にかかる本願発明では、弁棒の連結部と調整手段の第３の閉鎖部材が一体的に形成されるため、第３の閉鎖部材に回転運動を付与すると、弁棒もそれに連動して回転する。
請求項６にかかる本願発明では、混合気が第１のインジェクタ部から噴出される。このときの運動エネルギーによって、二次空気導入手段から二次空気が誘導され、第１のインジェクタ部から噴出される混合気にさらに供給される。二次空気と混合された混合気は、第２のインジェクタ部から噴出され、このときの運動エネルギーによって、三次空気導入手段から三次空気が誘導され、第２のインジェクタ部から噴出される混合気にさらに供給される。三次空気と混合された混合気は、第３のインジェクタ部から噴出され、燃焼室を通って、炎口部から噴出される。このときの運動エネルギーによって、炎口部を介して外部から四次空気が誘導され、第３のインジェクタ部から噴出される混合気にさらに供給される。
そして、炎口部から噴出する混合気に着火すると、混合気が燃焼し、炎口部から火炎が噴射される。この場合、第３のインジェクタ部、燃焼室および炎口部を通って噴出される混合気の流速によって、燃焼室内が陰圧状態となる。そのため、炎口部から火炎が吹き飛ぶ、所謂、リフティング現象が防止される。すなわち、燃焼室内が陰圧状態となるため、炎口部から吹き飛ぶ火炎が燃焼室内に引っ張られて、安定して混合気を燃焼させることが可能となる。
請求項７にかかる本願発明では、乱流付与手段により、一次空気とガス状燃料との混合気に乱流が発生する。そのため、一次空気とガス状燃料とは、効率良く混合される。
請求項８にかかる本願発明では、送風手段によって、一次空気とガス状燃料との混合気が強制的に下流側に供給される。そのため、第１のインジェクタ部、第２のインジェクタ部、第３のインジェクタ部および燃焼室を通って、炎口部から噴出される混合気の流速が速くなり、その運動エネルギーも大きくなる。したがって、一次空気導入手段、二次空気導入手段、三次空気導入手段および炎口部から、それぞれ、一次空気、二次空気、三次空気および四次空気をより一層導入しやすくなる。
請求項９にかかる本願発明では、送風手段が混合室と第１のインジェクタ部との間に配置されるので、混合室から送られてきた混合気が強制的に第１のインジェクタ部に供給される。さらに、送風手段の作用により、一次空気もより多く導入される。
請求項１０にかかる本願発明では、送風手段が混合室の上流側に配設されるため、一次空気がより多く導入される。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明の一実施例を示す一部断面図解図であり、図２は、図１の実施例に適用されるレギュレータおよび調整手段の一例を示す分解斜視図解図である。本実施例では、本願発明にかかるバーナの一例として、特に、低圧ガス用小型ハンドバーナについて説明する。
本実施例にかかるハンドバーナ１０は、たとえば円筒状のバーナ本体１２を含む。バーナ本体１２の軸方向の一方側には、混合室１４が配置され、バーナ本体１２の軸方向の他方側には、バーナヘッド１６が配置される。本実施例のハンドバーナ１０では、バーナ本体１２の軸方向の一方側（図１で見て、右側）を上流側とし、軸方向の他方側（図１で見て、左側）を下流側とし、ガス状燃料および外部から導入される空気等は、上流側から下流側へ流れるものとして説明していく。
【０００９】
混合室１４は、図１および図１２等に示すように、たとえば円筒状のハウジング１８を含む。ハウジング１８内には、その軸線方向にガス状燃料を噴出させるノズル部２０が配置される。ノズル部２０は、その軸方向の一端側に複数のノズル孔２０ａを有するノズル部本体２２を含む。ノズル孔２０ａは、ノズル部本体２２の先端部の周方向に所定の間隔を隔てて配設される。ノズル部本体２２は、その内部にガス状燃料が供給される燃料供給室２４を有する。また、ノズル部本体２２は、ノズル孔２０ａに連通される通路２６を有し、通路２６は、燃料供給室２４に連通される。
【００１０】
ノズル部本体２２には、その軸方向の中間部に、燃料供給室２４内にガス状燃料を導入・供給するためのガス導入部２８が接続される。ガス導入部２８は、たとえば円柱状に形成され、ハウジング１８の軸方向の中間部と、ノズル部本体２２の軸方向の中間部との間に配設される。ノズル部本体２２は、ガス導入部２８により、ハウジング１８の軸方向の中間部壁面に支持され、混合室１４内において、混合室１４の軸線方向に延びて配置される。この場合、ノズル部本体２２の軸方向の一端側は、混合室１４の軸方向の一端側から突出し、本実施例では、この部分を突出部分２３とする。
【００１１】
ガス導入部２８は、ハウジング１８の軸方向の中間部壁面を貫通するガス導入口３０と、ガス導入口３０および燃焼室２４を連通するための連通路３２とを含む。ガス導入口３０には、ガス導入管３４が接続される。連通路３２は、ガス導入管３４と接続される。つまり、この連通路３２は、ガス導入路としての機能を有するものである。ガス導入管３４は、ハンドバーナ１０の把持部３６を貫通して、ガス状燃料を供給する燃料供給源（図示せず）に接続される。燃料供給源（図示せず）から供給されるガス状燃料は、ガス供給コック３８により、その供給量が調整される。
【００１２】
本実施例のハンドバーナ１０は、ノズル孔２０ａからのガス状燃料の供給を適宜停止させる停止手段を含み、停止手段は、ノズル孔２０ａへのガス状燃料の供給を遮断する弁体４０を有する。弁体４０は、たとえば軸状の弁棒４２を含み、弁棒４２は、ノズル部本体２２の軸線方向に直線運動可能に配置される。弁棒４２の軸方向の一端側には、たとえば円錐状の閉塞部４４が配設される。閉塞部４４は、ノズル孔２０ａに連通する通路２６を閉塞させるものである。また、弁棒４２の軸方向の他端側には、その外周部にねじ面４６が配設され、弁棒４２の軸方向の中間部には、その外周部にねじ面４８が配設される。なお、ねじ面４８の外径は、弁棒４２の外径よりも大きく形成される。
本実施例では、特に、たとえば弁棒４２のねじ面４６，４８が多条ねじのねじ面を有する構造となっている。そのため、弁棒４２のねじ面４６，４８では、弁棒４２の回転量に対して、弁棒４２がその軸方向に動く距離が大きくなる。
【００１３】
一方、ノズル部本体２２には、その軸方向の中間部の内壁面に、ねじ面５０が配設される。このねじ面５０は、弁棒４２のねじ面４８と螺合されるものである。また、弁棒４２の他のねじ面４６は、後述する調整手段に連結される連結部としての機能を有するものである。さらに、ノズル部本体２２の軸方向の一端側には、ノズル部本体２２と弁棒４２との間に、たとえばＯリングからなるガスケット５２が配設され、ガス漏れを防止している。
【００１４】
本実施例のハンドバーナ１０は、混合室１４の上流側に、一次空気を導入するための一次空気導入手段を有する。一次空気導入手段は、混合室１４と連通される開口部６０Ａ，６０Ｂ，６０Ｃを備えたレギュレータ６０を含み、一次空気は、その開口部６０Ａ，６０Ｂ，６０Ｃより導入される。レギュレータ６０は、ハウジング１８の軸方向の一方端部に配置される羽根部材６２を含む。
羽根部材６２は、特に、図２等に示すように、たとえば略扇形の３枚の羽根片６２ａ，６２ｂ，６２ｃを有する。３枚の羽根片６２ａ，６２ｂ，６２ｃには、それぞれ、その幅方向の一端で、且つ、その長さ方向の一端から他端にかけて、たとえば矩形状の立上り片６４が配設される。
３枚の羽根片６２ａ，６２ｂ，６２ｃは、それぞれ、その長さ方向の一端部がノズル部本体２２の突出部分２３に固着され、その長さ方向の他端部がハウジング１８の軸方向の一端部に固着される。この場合、羽根片６２ａ，６２ｂ，６２ｃは、その幅の狭い方が突出部分２３に固着され、その幅の広い方がハウジング１８の周縁端部に固着される。したがって、混合室１４の上流側には、３枚の羽根片６２ａ，６２ｂ，６２ｃの間に、３つの扇状の開口部６０Ａ，６０Ｂ，６０Ｃが構成される。
【００１５】
なお、本実施例では、便宜上、羽根片６２ａ，６２ｂ，６２ｃを数学でいうところの扇形とみたとき、例えば、２つの半径のはさむ角（扇形の中心角）が略３０度程度に形成される。この場合、扇状の開口部６０Ａ，６０Ｂ，６０Ｃの扇形の中心角が略９０度程度になるように、羽根片６２ａ，６２ｂ，６２ｃが配置される。
【００１６】
さらに、レギュレータ６０は、開口部６０Ａ，６０Ｂ，６０Ｃを段階的に閉鎖する調整手段７０を含む。調整手段７０は、一次空気の混合室１４への導入量を段階的に調整する機能を有するものである。調整手段７０は、羽根部材６２に重ねられ、開口部６０Ａ，６０Ｂ，６０Ｃの一部を段階的に閉鎖する回転自在の第１の閉鎖部材７２を含む。第１の閉鎖部材７２は、円環状の支持輪７４を含み、支持輪７４の円周方向に所定の間隔を隔てて、たとえば略扇形の３枚の羽根片７６ａ，７６ｂ，７６ｃが配設される。この３枚の羽根片７６ａ，７６ｂ，７６ｃは、上述の羽根片６２ａ，６２ｂ，６２ｃと略同じ形状，大きさに形成され、その配置も略同じに形成される。支持輪７２および羽根片７６ａ，７６ｂ，７６ｃは、一体的に形成される。
【００１７】
また、調整手段７０は、第２の閉鎖部材７８を含む。第２の閉鎖部材７８は、第１の閉鎖部材７２に重ねられ、開口部６０Ａ，６０Ｂ，６０Ｃをさらに段階的に閉鎖できるように、回転自在に配置される。第２の閉鎖部材７８は、支持輪８０を含み、支持輪８０の円周方向に所定の間隔を隔てて、たとえば略扇形の３枚の羽根片８２ａ，８２ｂ，８２ｃが配設される。３枚の羽根片８２ａ，８２ｂ，８２ｃは、上述の羽根片７６ａ，７６ｂ，７６ｃと略同じ形状，大きさに形成され、その配置も略同じに形成される。３枚の羽根片８２ａ，８２ｂ，８２ｃの外周端部には、たとえば平面視略Ｃ字形円環状の保持片８４が配設される。保持片８４の円周方向の一端から他端を扇形の弧（優弧）とみたとき、その扇形の中心角は、略３００度程度に形成される。
【００１８】
さらに、調整手段７０は、第３の閉鎖部材８８を含む。第３の閉鎖部材８８は、第２の閉鎖部材７８に重ねられ、開口部６０Ａ，６０Ｂ，６０Ｃをさらに段階的に閉鎖し、終には、開口部６０Ａ，６０Ｂ，６０Ｃを全閉できるように、回転自在に配置される。第３の閉鎖部材８８は、たとえば断面略Ｌ字形で円環状のキャップ状部９０と、キャップ状部９０と同じ中心をもつ円環状の支持輪９２とを有する。キャップ状部９０と支持輪９２との間には、たとえば略扇形の３枚の羽根片９４ａ，９４ｂ，９４ｃが配設される。この３枚の羽根片９４ａ，９４ｂ，９４ｃは、上述の羽根片７６ａ，７６ｂ，７６ｃと略同じ形状，大きさに形成され、その配置も略同じに形成される。
【００１９】
さらに、ハウジング１８の軸方向の一端周縁端部には、その円周方向に所定の間隔を隔てて、２つの規制部材６６，６８が配設される。２つの規制部材６６，６８は、それぞれ、たとえば幅狭矩形状の凸片に形成される。２つの規制部材６６，６８は、第１の閉鎖部材７２の回転変位量を所定の範囲に、つまり、一方の規制部材６６と他方の規制部材６８との間の範囲に規制する機能を有する。
一方の規制部材６６は、たとえば羽根片６２ｂの幅方向の一端側に当接する位置に配設される。他方の規制部材６８は、羽根片６２ｂの幅方向の他端と、羽根片６２ｃの幅方向の一端との間に配設される。一方の規制部材６６と他方の規制部材６８とをハウジング１８の周縁上で結んだときにできる劣弧６６〜６８を扇形の弧とみたとき、この扇形の中心角は、たとえば略６０度程度に形成される。
【００２０】
さらに、調整手段７０の第２の閉鎖部材７８には、支持輪８０の円周方向の一部に押圧部８６が配設される。押圧部８６は、羽根片８２ｂと羽根片８２ｃとの間で、羽根片８２ｂの根元側近傍に設けられる。押圧部８６は、たとえば断面Ｌ字状の凸片に形成され、その先端部が第１の閉鎖部材７２の方に向いて設けられる。押圧部８６は、第２の閉鎖部材７８の回転に伴ない、第１の閉鎖部材７２のたとえば羽根片７６ｃ根元側を回転方向から押圧する。それにより、第１の閉鎖部材７２を所定の範囲で回転可能にする。
【００２１】
さらに、調整手段７０の第３の閉鎖部材８８には、キャップ状部９０の内周縁の一部に他の押圧部９６が配設される。押圧部９６は、羽根片９４ｃと羽根片９４ａとの間で、羽根片９４ｃの外周端側近傍に設けられる。押圧部９６は、たとえば断面矩形で円弧状の凸片に設けられる。押圧部９６は、第３の閉鎖部材８８の回転に伴ない、第１の閉鎖部材７２の羽根片７６ａと、第２の閉鎖部材７８の保持片８４の円周方向の端部８５とを回転方向から押圧して、第１の閉鎖部材７２および第２の閉鎖部材７８を所定の範囲内で回転可能にするものである。
また、第３の閉鎖部材８８の支持輪９２には、その円周方向の一部に、後述する固定ボス部１０２のねじ孔１０４と連通可能なねじ孔９８が配設される。
【００２２】
なお、羽根部材６２に配設される立上り片６４の高さは、たとえば図３，図４に示すように、第１の閉鎖部材７２の厚みと第２の閉鎖部材７８の厚みとを加えた厚みとほぼ同様に設定される。また、立上り片６４は、たとえば図３，図５に示すように、羽根片６２ｃの根元端部側に、少なくとも、押圧部８６の幅分だけの間隔を隔てた位置に配設される。これは、第２の閉鎖部材７８が回転したときに、その押圧部８６が立上り片６４に当って、第２の閉鎖部材７８の回転が阻止されないようにするためである。
【００２３】
本実施例では、調整手段７０と弁棒４２とが、連結手段１００により連結される。連結手段１００は、その内周面に雌ねじ等のねじ部１０２ａを有する固定ボス部１０２を含む。固定ボス部１０２は、その一方主面側から他方主面側に貫通する、雌ねじ等のねじ孔１０４を有する。また、連結手段１００は、ねじ孔１０４に挿通されて螺合可能な止めねじ１０６およびナット１０８等の固定・接続手段を有する。
【００２４】
本実施例では、ノズル部本体２２の突出部分２３に、第１の閉鎖部材７２、第２の閉鎖部材７８および第３の閉鎖部材８８が嵌め込まれる。第１の閉鎖部材７２、第２の閉鎖部材７８および第３の閉鎖部材８８は、それぞれ、支持輪７４、支持輪８０および支持輪９２を介して、突出部分２３に嵌め込まれる。この場合、弁棒４２は、図１，図１２等に示すように、その軸方向の他端側が突出部分２３から、第３の閉鎖部材８８の支持輪９２を通って、外側に突出している。
【００２５】
さらに、弁棒４２の軸方向の他端側から、固定ボス部１０２が挿通される。このとき、弁棒４２のねじ面４６と、固定ボス部１０２のねじ部１０２ａのねじ面とが螺合される。さらに、固定ボス部１０２と第３の閉鎖部材８８とが、止めねじ１０６によって連結される。すなわち、第３の閉鎖部材８８のねじ孔９８と固定ボス部１０２のねじ孔１０４とが連通するように、第３の閉鎖部材８８および固定ボス部１０２が配置される。そして、ねじ孔９８およびねじ孔１０４に、止めねじ１０６が挿通され、それらのねじ面が螺合される。さらに、弁棒４２の軸方向の他端側から、ナット１０８が座金１１４を介して取付けられる。このようにして、第３の閉鎖部材８８と弁棒４２とが連結される。
【００２６】
なお、固定ボス部１０２の周囲には、たとえばスプリング部材１１０が配設され、スプリング部材１１０の外側には、スプリング部材１１０が外れないように固定する、たとえばＥ形止め輪（Ｅリング）１１２が配設される。スプリング部材１１０は、第３の閉鎖部材８８の羽根片９４ａ，９４ｂ，９４ｃを外側から軽く押圧することにより、第３の閉鎖部材８８が不用意に回転することを防止する機能を有する。
【００２７】
さて、混合室１４の下流側には、送風手段１２０が配設される。送風手段１２０は、バーナ本体１２と混合室１４との間に配設される送風室１２２を含む。送風室１２２とバーナ本体１２とは、たとえばフランジ管状のブラケット部材１２６により接続・固定される。この場合、バーナ本体１２とブラケット部材１２６のフランジ片部１２６ｂとが適宜な接続手段により接続され、さらに、ブラケット部材１２６の本体部１２６ａがビス等の固着手段１２８により送風室１２２と接続される。
送風室１２２内には、送風機１２４が配設される。送風機１２４は、混合室１４から送られてくる混合気を強制的に下流側に送風するものである。この場合、送風機１２４の回転力により、下流側に送風される混合気の流速が速くなる。そのため、レギュレータ６０の開口部６０Ａ，６０Ｂ，６０Ｃから導入され得る一次空気の導入量も大きくすることができる。
【００２８】
さらに、送風手段１２０の下流側には、乱流付与手段１３０が配設される。乱流付与手段１３０は、たとえば複数の乱流板１３２を含み、これらの乱流板１３２は、ブラケット部材１２６の内周面に配設される。複数の乱流板１３２は、ブラケット部材１２６の内周面の径方向に間隔を隔てて平行に配置したり、あるいは、格子状に配置される。この場合、乱流板１３２に変えて、たとえば渦巻き状の乱流羽根を配設するようにしてもよい。
乱流付与手段１３０は、送風手段１２０により強制的に送風された混合気に渦巻き流等の乱流を生じさせ、ガス状燃料と一次空気とを効率良く混合させるための機能を有するものである。
【００２９】
バーナ本体１２は、第１のインジェクタ部１４０を有する。第１のインジェクタ部１４０は、乱流付与手段１３０のさらに下流側に配設される。第１のインジェクタ部１４０は、相対する両側面が平行なたとえば円筒状の直線状筒体１４２を含む。直線状筒体１４２の軸方向の一端には、相対する両側面が対称的に傾斜するテーパ部を有するたとえば円錐台状筒体１４４が連接される。円錐台状筒体１４４の小端径部周縁と直線状筒体１４２の軸方向の一端周縁部とが連接される。円錐台状筒体１４４のテーパ部は、バーナ本体１２の上流側から下流側に向いて先細りするように形成される。この場合、円錐台状筒体１４４の大端径部の内径は、直線状筒体１４２の内径よりも大きく形成される。また、直線状筒体１４２の軸方向の長さは、直線状筒体１４２の内径と略同じかあるいは長く形成される。さらに、円錐台状筒体１４４の軸方向の長さは、円錐台状筒体１４４の大端径部の内径よりも小さく形成される。第１のインジェクタ部１４０の噴出口１４６からは、乱流付与手段１３０で効率良く混合された混合気が噴出される。
【００３０】
また、バーナ本体１２の外周面には、円錐台状筒体１４４の大端径部よりも下流側に、二次空気導入手段としての二次空気導入部１４８が配設される。二次空気導入部１４８は、バーナ本体１２の外周面を貫通する複数の貫通孔により構成される。これらの貫通孔は、バーナ本体１２の外周面の円周方向に所定の間隔を隔てて配設される。
【００３１】
さらに、第１のインジェクタ部１４０の下流側には、第２のインジェクタ部１５０が配設される。第２のインジェクタ部１５０は、第１のインジェクタ部１４０の噴出口１４６から噴出される混合気に、二次空気導入部１４８から導入された二次空気を供給し、噴出口１５６からさらに下流側に噴出させる機能を有するものである。
第２のインジェクタ部１５０は、相対する両側面が平行なたとえば円筒状の直線状筒体１５２を含む。直線状筒体１５２の軸方向の一端には、相対する両側面が対称的に傾斜するテーパ部を有するたとえば円錐台状筒体１５４が連接される。円錐台状筒体１５４の小端径部周縁と直線状筒体１５２の軸方向の一端周縁部とが連接される。円錐台状筒体１５４のテーパ部は、バーナ本体１２の上流側から下流側に向いて先細りするように形成される。この場合、円錐台状筒体１５４の大端径部の内径は、直線状筒体１５２の内径よりも大きく形成される。また、直線状筒体１５２の軸方向の長さは、直線状筒体１５２の内径と略同じかあるいは短く形成される。さらに、円錐台状筒体１５４の軸方向の長さは、円錐台状筒体１５４の大端径部の内径と略おなじかあるいは小さく形成される。
【００３２】
さらに、バーナ本体１２の外周面には、円錐台状筒体１５４の大端径部よりも下流側に、三次空気導入手段としての三次空気導入部１５８が配設される。三次空気導入部１５８は、バーナ本体１２の外周面を貫通する複数の貫通孔により構成される。これらの貫通孔は、バーナ本体１２の外周面の円周方向に所定の間隔を隔てて配設される。
【００３３】
さらに、第２のインジェクタ部１５０の下流側には、第３のインジェクタ部１６０が配設される。第３のインジェクタ部１６０は、第２のインジェクタ部１５０の噴出口１５６から噴出される混合気に、三次空気導入部１５８から導入された三次空気を供給し、噴出口１６６からさらに下流側に噴出させる機能を有するものである。
第３のインジェクタ部１６０は、相対する両側面が平行なたとえば円筒状の直線状筒体１６２を含む。直線状筒体１６２の軸方向の一端には、相対する両側面が対称的に傾斜するテーパ部を有するたとえば円錐台状筒体１６４が連接される。円錐台状筒体１６４の小端径部周縁と直線状筒体１６２の軸方向の一端周縁部とが連接される。円錐台状筒体１６４のテーパ部は、バーナ本体１２の上流側から下流側に向いて先細りするように形成される。この場合、円錐台状筒体１６４の大端径部の内径は、直線状筒体１６２の内径よりも大きく形成される。また、直線状筒体１６２の軸方向の長さは、直線状筒体１６２の内径と略同じかあるいは短く形成される。さらに、円錐台状筒体１６４の軸方向の長さは、円錐台状筒体１６４の大端径部の内径よりも小さく形成される。
【００３４】
さらに、バーナ本体１２には、第３のインジェクタ部１６０の下流側に延びる、たとえば円筒状の燃焼室１６８が配設される。燃焼室１６８は、第３のインジェクタ部１６０を覆うように配設される。第３のインジェクタ部１６０は、その下流側の端部に炎口部１７０を有する。炎口部１７０から噴出する混合気に着火すると、混合気が燃焼し、火炎が噴射される。
【００３５】
本実施例にかかるハンドバーナ１０では、ガス導入路３４を通って、ノズル部２０のノズル孔２０ａからガス状燃料が噴射される。混合室１４内には、レギュレータ６０の開口部６０Ａ，６０Ｂ，６０Ｃを通って、外部から一次空気が導入される。この場合、ガス状燃料がノズル孔２０ａから噴射されるときの運動エネルギによって、より効果的に、開口部６０Ａ，６０Ｂ，６０Ｃから一次空気が吸引され、混合室１４へ導入される。ガス状燃料と一次空気とは、混合室１４内で混合され、混合気となる。
【００３６】
本実施例では、特に、開口部６０Ａ，６０Ｂ，６０Ｃからの一次空気の導入が停止されるのと、ほぼ同時に、弁棒４２を有する停止手段によって、ノズル孔２０ａからのガス状燃料の供給が停止される。そのため、火炎を消すときのフラッシュバックが防止される。このことは、言いかえると、本実施例では、ガス状燃料の導入量の調節と一次空気の導入量の調節とを略同時に調節することができるためである。
【００３７】
すなわち、本実施例にかかるハンドバーナ１０では、第１の閉鎖部材７２、第２の閉鎖部材７８および第３の閉鎖部材８８の回転運動により、図６，図１１等に示す開口部６０Ａ，６０Ｂ，６０Ｃが段階的に閉鎖される。
第１の閉鎖部材７２の３枚の羽根片７６ａ，７６ｂ，７６ｃは、図６および図７に示すように、開口部６０Ａ，６０Ｂ，６０Ｃの一部を段階的に閉鎖する。また、第２の閉鎖部材７８の３枚の羽根片８２ａ，８２ｂ，８２ｃは、図７および図８に示すように、開口部６０Ａ，６０Ｂ，６０Ｃの一部をさらに段階的に閉鎖する。第３の閉鎖部材８８の３枚の羽根片９４ａ，９４ｂ，９４ｃは、図８，図９および図１０に示すように、開口部６０Ａ，６０Ｂ，６０Ｃの一部をさらに段階的に閉鎖して、開口部６０Ａ，６０Ｂ，６０Ｃを全閉状態にする。
【００３８】
この場合、図２に示すように、第２の閉鎖部材７８の押圧部８６によって、第１の閉鎖部材７２の回転変位量が所定の範囲に規制される。第２の閉鎖部材７８の回転により、図８に示すように、押圧部８６が回転方向から第１の閉鎖部材の羽根片７６ｃを押圧し、羽根片７６ｃを規制範囲まで回転させる。さらに、第３の閉鎖部材８８の他の押圧部９６は、第１の閉鎖部材７２の羽根片７６ａおよび第２の閉鎖部材７８の保持片８４の端部８５を回転方向から押圧し、羽根片７６ａおよび第２の閉鎖部材７８の羽根片８２ａを規制部の規制範囲まで回転させる。それによって、一次空気が導入される開口部６０Ａ，６０Ｂ，６０Ｃは、全閉される。この第３の閉鎖部材８８の全閉動作に連動して、弁棒４２がノズル孔２０ａを閉塞し、ノズル孔２０ａへのガス状燃料の供給が遮断される。
【００３９】
すなわち、本実施例にかかるハンドバーナ１０では、第１の閉鎖部材７２、第２の閉鎖部材７８および第３の閉鎖部材８８の回転運動に連動して、弁棒４２が直線運動する。この場合、弁棒４２が連結手段１００により第３の閉鎖部材８８に連結され、且つ、ノズル部本体２２と弁棒４２とがねじ対偶の関係にある。そのため、第３の閉鎖部材８８を回転させれば、弁棒４２は、回転しながら直線運動を行ない、ノズル孔２０ａに通じる通路２６を閉塞することが可能となる。しかも、本実施例では、弁棒４２のねじ面４６，４８が多条ねじのねじ面に形成されるため、第３の閉鎖部材８８の回転量に比して、弁棒４２の軸方向に動く距離が大きくなる。したがって、第３の閉鎖部材８８の回転量が比較的小さくても、所望する弁棒４２の軸方向への変位量を確保することができる。それにより、ノズル孔２０ａへのガス状燃料の供給が遮断される。
【００４０】
さらに、本実施例にかかるハンドバーナ１０では、混合気が第１のインジェクタ部１４０から噴出される。このときの運動エネルギーによって、二次空気導入部１４８から二次空気が誘導され、第１のインジェクタ部１４０から噴出される混合気にさらに供給される。二次空気と混合された混合気は、第２のインジェクタ部１５０から噴出され、このときの運動エネルギーによって、三次空気導入部１５８から三次空気が誘導され、第２のインジェクタ部１５０から噴出される混合気にさらに供給される。三次空気と混合された混合気は、第３のインジェクタ部１６０から噴出され、燃焼室１６８を通って、炎口部１７０から噴出される。このときの運動エネルギーによって、炎口部１７０を介して外部から四次空気が誘導され、第３のインジェクタ部１６０から噴出される混合気にさらに供給される。
【００４１】
そして、炎口部１７０から噴出する混合気に着火すると、混合気が燃焼し、炎口部１７０から火炎が噴射される。この場合、第３のインジェクタ部１６０、燃焼室１６８および炎口部１７０を通って噴出される混合気の流速によって、燃焼室内１６８が陰圧状態となる。そのため、炎口部１７０から火炎が吹き飛ぶ、所謂、リフティング現象が防止される。すなわち、燃焼室１６８内が陰圧状態となるため、炎口部１７０から吹き飛ぶ火炎が燃焼室内に引っ張られて、安定して混合気を燃焼させることが可能となる。
【００４２】
さらに、送風手段１２０によって、一次空気とガス状燃料との混合気が強制的に下流側に供給される。そのため、第１のインジェクタ部１４０、第２のインジェクタ部１５０、第３のインジェクタ部１６０および燃焼室１６８を通って、炎口部１７０から噴出される混合気の流速が速くなり、その運動エネルギーも大きくなる。したがって、開口部６０Ａ，６０Ｂ，６０Ｃ、二次空気導入部１４８、三次空気導入部１５８および炎口部１７０から、それぞれ、一次空気、二次空気、三次空気および四次空気をより一層導入しやすくなる。
【００４３】
図１３は、本願発明の他の実施例を示す一部断面図解図である。図１３の実施例は、上述の実施例と比べて、特に、送風手段１２０が混合室１４の上流側、この場合、レギュレータ６０よりも上流側に配設されている点、混合室１４が漏斗状に配設されている点、ノズル孔２０ａに連通される通路２６が形成されていない点、弁棒４２と調整手段７０の第３の閉鎖部材８８とが一体的に形成されている点、および、混合室１４の下流端部側の周囲にスライドダンパ１８０が配設されている点で、相違する。
【００４４】
すなわち、図１３に示す実施例では、送風手段１２０がレギュレータ６０よりも上流側に配設されているので、一次空気を強制的に混合室１４へ送風することができ、より多くの一次空気を導入することができる。また、混合室１４は、その下流側端部が先細の漏斗状に配設されるため、混合室１４内から噴出される混合気の流速を速くすることができる。さらに、弁棒４２と第３の閉鎖部材８８とが一体成形されているので、固定ボス１０２，止めねじ１０６，ナット１０８等の連結手段１００が不要となり、それだけ、部品点数を減らすことが出きる。
【００４５】
さらに、図１３に示す実施例では、混合室１４の先細部分の周囲に、たとえば円環状のスライドダンパ１８０が配設されているため、スライドダンパ１８０と混合室１４との間から、一次空気をさらに下流側、つまり、乱流付与手段１２６を介して、第１のインジェクタ部１４０側へと導入することができる。
【００４６】
なお、上述の各実施例において、羽根部材６２は、たとえば第１の閉鎖部材７２のように別部材として形成し、ビス等の取付手段により、混合室１４のハウジング１８の周縁端部に取外し可能に、適宜、取付けるようにしても良い。また、乱流付与手段１３０は、必ずしも配設されるものではなく、適宜、省略可能である。
【００４７】
【発明の効果】
本願発明によれば、フラッシュバックおよびリフティングを防止し、且つ、熱流束の大きい高カロリーの炎を出すことができる、バーナが得られる。
【図面の簡単な説明】
【図１】本願発明の一実施例を示す一部断面図解図である。
【図２】図１の実施例に適用されるレギュレータおよび調整手段の一例を示す分解斜視図解図である。
【図３】図１の実施例に適用される調整手段の一部を示す斜視図解図である。
【図４】図３に示す調整手段の要部断面図解図である。
【図５】図３に示す調整手段の他の要部断面図解図である。
【図６】図１の実施例に適用される調整手段の動作を示す図解図である。（開口部全開）
【図７】図１の実施例に適用される調整手段の他の動作を示す図解図である。（開口部の一部を閉鎖）
【図８】図１の実施例に適用される調整手段のさらに他の動作を示す図解図である。（開口部の一部をさらに閉鎖）
【図９】図１の実施例に適用される調整手段のさらに他の動作を示す図解図である。（開口部全閉）
【図１０】図１の実施例に適用される調整手段によりレギュレータの開口部が全閉された状態を示す要部斜視図である。
【図１１】図１の実施例に適用される調整手段によりレギュレータの開口部が全開された状態を示す要部斜視図である。
【図１２】図１の実施例に適用される停止手段の一例およびその動作を示す要部断面図解図である。
【図１３】本願発明の他の実施例を示す一部断面図解図である。
【符号の説明】
１０  ハンドバーナ
１２  バーナ本体
１４  混合室
１６  バーナヘッド
２０  ノズル部
２０ａ  ノズル孔
２２  ノズル部本体
２６  通路
２８  ガス導入部
３２  連通路
３４  ガス導入管
３６  把持部
３８  ガス供給コック
４０  弁体
４２  弁棒
４４  閉塞部
４６，４８，５０  ねじ面
６０  レギュレータ
６０Ａ，６０Ｂ，６０Ｃ  開口部
６２  羽根部材
６２ａ，６２ｂ，６２ｃ  羽根片
６６，６８  規制部材
７０  調整手段
７２  第１の閉鎖部材
７６ａ，７６ｂ，７６ｃ  羽根片
７８  第２の閉鎖部材
８２ａ，８２ｂ，８２ｃ  羽根片
８６  押圧部
８８  第３の閉鎖部材
９４ａ，９４ｂ，９４ｃ  羽根片
９６  他の押圧部
９８  ねじ孔
１００  連結手段
１２０  送風手段
１３０  乱流付与手段
１４０  第１のインジェクタ部
１４８  二次空気導入部
１５０  第２のインジェクタ部
１５８  二次空気導入部
１６０  第３のインジェクタ部
１６８  燃焼室
１７０  炎口部
１８０  スライドダンパ
【図１】
0003650740.tif 000002
【図２】
0003650740.tif 000003
【図３】
0003650740.tif 000004
【図４】
0003650740.tif 000005
【図５】
0003650740.tif 000006
【図６】
0003650740.tif 000007
【図７】
0003650740.tif 000008
【図８】
0003650740.tif 000009
【図９】
0003650740.tif 000010
【図１０】
0003650740.tif 000011
【図１１】
0003650740.tif 000012
【図１２】
0003650740.tif 000013
【図１３】
0003650740.tif 000014